(57)【要約】【課題】照明器具の外部で放電灯の点灯状態を監視することを目的とする。【解決手段】電流検出装置１３１は、放電灯点灯装置１１２と電源１２０とを接続する配線１０３を流れる電流の電流値を示す電流検出信号１５１を出力する。電源監視装置１３２は、電源１２０から放電灯点灯装置１１２へ電力が供給されたことを示す電源検出信号１５２を出力する。制御装置１３３において、時間測定部１３５は、電源検出信号１５２で示された電力の供給が開始してからの経過時間を測定する。時間積算部１３６は、蛍光灯１１１の装着後に測定された経過時間を積算する。放電灯状態監視部１３７は、積算された経過時間が不揮発性メモリ１３４に記憶された蛍光灯１１１の定格寿命に達しており、かつ、電流検出信号１５１で示された電流値が略０である場合、蛍光灯１１１の寿命がきたことを示す放電灯状態信号１５３を出力装置１４０へ出力する。【選択図】図１
2009170172.tif 000002
【特許請求の範囲】
【請求項１】
着脱自在の放電灯と前記放電灯を点灯する放電灯点灯装置とを接続する配線と、前記放電灯点灯装置と前記放電灯点灯装置へ電力を供給する電源とを接続する配線との少なくともいずれかを流れる電流の電流値を測定し、当該電流値を示す電流検出信号を出力する電流検出装置と、
前記電源から前記放電灯点灯装置へ電力が供給されたことを検出し、当該電力の供給を示す電源検出信号を出力する電源監視装置と、
前記放電灯の定格寿命を予め記憶する不揮発性メモリと、
前記電源監視装置から出力された電源検出信号を入力し、当該電源検出信号で示された電力の供給が開始してからの経過時間を測定する時間測定部と、
前記放電灯の装着後に前記時間測定部により測定された経過時間を積算する時間積算部と、
前記放電灯の定格寿命を前記不揮発性メモリから読み出すとともに、前記電流検出装置から出力された電流検出信号を入力し、前記時間積算部により積算された経過時間が当該定格寿命に達している場合であって、当該電流検出信号で示された電流値が略０である場合、前記放電灯の寿命がきたことを示す放電灯状態信号を出力装置へ出力する放電灯状態監視部とを備えることを特徴とする放電灯状態監視システム。
【請求項２】
前記不揮発性メモリは、さらに、電流値の正常な範囲として、電力の供給が開始してからの経過時間に応じて予め定められた電流値範囲を記憶し、
前記放電灯状態監視部は、前記時間測定部により測定された経過時間に対応する電流値範囲を前記不揮発性メモリから読み出すとともに、前記電流検出装置から出力された電流検出信号を入力し、当該電流検出信号で示された電流値が当該電流値範囲内でない場合、前記放電灯の寿命がきたか又は前記放電灯が故障したことを示す放電灯状態信号を出力装置へ出力することを特徴とする請求項１に記載の放電灯状態監視システム。
【請求項３】
前記放電灯点灯装置は、前記放電灯と並列に始動用コンデンサを具備し、
前記放電灯と前記放電灯点灯装置とは、前記放電灯点灯装置から前記放電灯へ電力を供給するための第１の配線と、前記放電灯と前記始動用コンデンサとを接続するための第２の配線とで接続され、
前記電流検出装置は、前記第２の配線を流れる電流の電流値のみを測定し、当該電流値を示す電流検出信号を出力することを特徴とする請求項１又は２に記載の放電灯状態監視システム。
【請求項４】
前記放電灯点灯装置は、前記放電灯と並列に始動用コンデンサを具備し、
前記放電灯と前記放電灯点灯装置とは、前記放電灯点灯装置から前記放電灯へ電力を供給するための第１の配線と、前記放電灯と前記始動用コンデンサとを接続するための第２の配線とで接続され、
前記電流検出装置は、前記第１の配線を流れる電流と前記第２の配線を流れる電流との差動値を測定し、電流値として当該差動値を示す電流検出信号を出力することを特徴とする請求項１又は２に記載の放電灯状態監視システム。
【請求項５】
前記電流検出装置は、前記放電灯点灯装置から前記放電灯へ流れる電流の電流値を測定することを特徴とする請求項１又は２に記載の放電灯状態監視システム。
【請求項６】
前記電流検出装置は、前記電源から前記放電灯点灯装置へ流れる電流の電流値を測定することを特徴とする請求項１から５までのいずれかに記載の放電灯状態監視システム。
【請求項７】
請求項１から６までのいずれかに記載の放電灯状態監視システムと、
前記放電灯が装着される照明器具であって、前記放電灯点灯装置を備える照明器具と、
前記電源と、
前記出力装置とを備えることを特徴とする照明システム。
【発明の詳細な説明】
【技術分野】
【０００１】
本発明は、放電灯状態監視システム及び照明システムに関するものである。本発明は、特に、放電灯の点灯状態を監視（モニタ）するシステムに関するものである。
【背景技術】
【０００２】
従来の照明器具において、放電灯点灯装置が、照明器具の内部で放電灯の寿命や不良を検出して、その点灯動作を停止する機能を備えるものがある（例えば、特許文献１参照）。
【特許文献１】特開昭６２−１５７６９６号公報
【発明の開示】
【発明が解決しようとする課題】
【０００３】
放電灯を搭載する産業機器など（例えば、エレベータのかご室、エスカレータの手すり。以下、「放電灯搭載機器」という）は、放電灯が点灯することで所定の性能を発揮する。放電灯は、放電灯そのものの寿命や不良、放電灯点灯装置の故障などで点灯しないことがある。放電灯が点灯しない場合、放電灯搭載機器の機能が損なわれることがあり、場合によっては、その利用者が危険にさらされる可能性もある。そのため、このような放電灯の不点灯状態を検出して、放電灯搭載機器の利用者や管理者に警告を出したり、放電灯搭載機器を停止したりする必要がある。しかしながら、従来技術では、照明器具の外部で放電灯の点灯状態を監視することができないため、警告を出したり、放電灯搭載機器を停止したりすることができないという課題があった。なお、放電灯搭載機器を監視するシステム（例えば、ビル管理システム）で、放電灯搭載機器に搭載される放電灯用の放電灯点灯装置の状態を監視することは可能であるが、この場合、放電灯搭載機器ごとに専用の放電灯点灯装置を使用する必要があり、高額な設備費用がかかってしまう。
【０００４】
本発明は、例えば、照明器具の外部で放電灯の点灯状態を監視することを目的とする。
【課題を解決するための手段】
【０００５】
本発明の一の態様に係る放電灯状態監視システムは、
着脱自在の放電灯と前記放電灯を点灯する放電灯点灯装置とを接続する配線と、前記放電灯点灯装置と前記放電灯点灯装置へ電力を供給する電源とを接続する配線との少なくともいずれかを流れる電流の電流値を測定し、当該電流値を示す電流検出信号を出力する電流検出装置と、
前記電源から前記放電灯点灯装置へ電力が供給されたことを検出し、当該電力の供給を示す電源検出信号を出力する電源監視装置と、
前記放電灯の定格寿命を予め記憶する不揮発性メモリと、
前記電源監視装置から出力された電源検出信号を入力し、当該電源検出信号で示された電力の供給が開始してからの経過時間を測定する時間測定部と、
前記放電灯の装着後に前記時間測定部により測定された経過時間を積算する時間積算部と、
前記放電灯の定格寿命を前記不揮発性メモリから読み出すとともに、前記電流検出装置から出力された電流検出信号を入力し、前記時間積算部により積算された経過時間が当該定格寿命に達している場合であって、当該電流検出信号で示された電流値が略０である場合、前記放電灯の寿命がきたことを示す放電灯状態信号を出力装置へ出力する放電灯状態監視部とを備えることを特徴とする。
【発明の効果】
【０００６】
本発明の一の態様によれば、放電灯状態監視システムにおいて、電流検出装置が、放電灯と放電灯点灯装置とを接続する配線と、前記放電灯点灯装置と電源とを接続する配線との少なくともいずれかを流れる電流の電流値を示す電流検出信号を出力し、電源監視装置が、前記電源から前記放電灯点灯装置への電力の供給を示す電源検出信号を出力し、時間測定部が、前記電源検出信号で示された電力の供給が開始してからの経過時間を測定し、時間積算部が、前記放電灯の装着後に前記時間測定部により測定された経過時間を積算し、放電灯状態監視部が、前記時間積算部により積算された経過時間が前記放電灯の定格寿命に達している場合であって、前記電流検出装置から出力された電流検出信号で示された電流値が略０である場合、前記放電灯の寿命がきたことを示す放電灯状態信号を出力装置へ出力することにより、照明器具の外部で前記放電灯の点灯状態を監視することが可能となる。
【発明を実施するための最良の形態】
【０００７】
以下、本発明の実施の形態について、図を用いて説明する。
【０００８】
実施の形態１．
図１は、本実施の形態に係る照明システム１００の構成図である。
【０００９】
図１において、照明システム１００は、照明装置１１０、電源１２０、電源スイッチ１２１、放電灯状態監視システム１３０、出力装置１４０を備える。
【００１０】
照明装置１１０は、着脱自在の放電灯と放電灯が装着される照明器具とによって構成される。本実施の形態では、放電灯として、低圧放電灯の一種である熱陰極型の蛍光灯１１１を用いるものとする。照明装置１１０の照明器具は、蛍光灯１１１を点灯する放電灯点灯装置１１２を備える。放電灯点灯装置１１２は、蛍光灯１１１と並列に始動用コンデンサ１１３を具備するほか、不図示の整流回路、昇圧チョッパ回路、インバータ回路、共振回路などを具備する。蛍光灯１１１と放電灯点灯装置１１２とは、放電灯点灯装置１１２から蛍光灯１１１へ電力を供給するための配線１０１（第１の配線）と、蛍光灯１１１と放電灯点灯装置１１２の始動用コンデンサ１１３とを接続するための配線１０２（第２の配線）とで接続されている。具体的には、配線１０１は、放電灯点灯装置１１２の整流回路、昇圧チョッパ回路、インバータ回路、共振回路などと蛍光灯１１１の両端の電極（フィラメント）とを接続し、配線１０２は、放電灯点灯装置１１２の始動用コンデンサ１１３と蛍光灯１１１の両端の電極を接続している。なお、本実施の形態の変形例として、冷陰極型の蛍光灯１１１を用いてもよい。この場合、蛍光灯１１１と放電灯点灯装置１１２とを接続する配線は、放電灯点灯装置１１２から蛍光灯１１１の両端の電極へ１本ずつ接続されることになる。
【００１１】
電源１２０は、例えば商用電源であり、電源スイッチ１２１を介して、照明装置１１０の照明器具が備える放電灯点灯装置１１２に接続されており、電源スイッチ１２１がＯＮになる（入れられる）と放電灯点灯装置１１２への電力の供給を開始する。そして、電源１２０は、電源スイッチ１２１がＯＦＦになる（切られる）まで放電灯点灯装置１１２へ電力を供給する。放電灯点灯装置１１２は、電源１２０から供給された電力を蛍光灯１１１へ供給する。具体的には、放電灯点灯装置１１２において、まず、整流回路が電源１２０から電源電圧を入力し、入力した電源電圧を整流する。次に、昇圧チョッパ回路が整流回路で整流された電源電圧を平滑化し、昇圧する。次に、インバータ回路が昇圧チョッパ回路で平滑化され、昇圧された電源電圧を高周波でスイッチングする。そして、共振回路がインバータ回路からの高周波電流を蛍光灯１１１に流す。放電灯点灯装置１１２と電源１２０とは、２本の配線１０３で接続されており、それぞれに電源スイッチ１２１が設けられている。電源スイッチ１２１は、遠隔で（例えば、後述する制御装置１３３から不図示の制御線を介して）操作可能なものとする。
【００１２】
放電灯状態監視システム１３０は、照明装置１１０の照明器具が備える放電灯点灯装置１１２と電源１２０とを接続する配線１０３に接続されており、電流検出装置１３１、電源監視装置１３２、制御装置１３３を備える。放電灯状態監視システム１３０は、制御装置１３３の内部に、不揮発性メモリ１３４、時間測定部１３５、時間積算部１３６、放電灯状態監視部１３７を備える。
【００１３】
電流検出装置１３１は、例えばＣＴ（電流トランス）であり、放電灯点灯装置１１２と電源１２０とを接続する配線１０３の１本に接続され、電源１２０から放電灯点灯装置１１２へ流れる電流の電流値を測定する。つまり、電流検出装置１３１は、配線１０３の１本を流れる電流の電流値を測定する。そして、電流検出装置１３１は、測定した電流値を示す電流検出信号１５１（ａ）を出力する。
【００１４】
電源監視装置１３２は、電源１２０から放電灯点灯装置１１２へ電力が供給されたことを検出する。そして、電源監視装置１３２は、当該電力の供給を示す電源検出信号１５２（Ａ）を出力する。
【００１５】
制御装置１３３の不揮発性メモリ１３４は、蛍光灯１１１の定格寿命を予め記憶する。また、不揮発性メモリ１３４は、配線１０３を流れる電流の電流値の正常な範囲として、電源１２０から放電灯点灯装置１１２への電力の供給、即ち、蛍光灯１１１への電力の供給が開始してからの経過時間に応じて予め定められた電流値範囲を記憶する。
【００１６】
制御装置１３３の時間測定部１３５は、電源監視装置１３２から出力された電源検出信号１５２（Ａ）を入力し、当該電源検出信号１５２（Ａ）で示された電力の供給が開始してからの経過時間を測定する。つまり、時間測定部１３５は、蛍光灯１１１への電力の供給が開始されてから蛍光灯１１１への電力の供給が継続されている時間を測定する。
【００１７】
制御装置１３３の時間積算部１３６は、蛍光灯１１１の装着（交換）後に時間測定部１３５により測定された経過時間を積算する。つまり、時間積算部１３６は、蛍光灯１１１が照明装置１１０の照明器具へ新たに装着されてから現在までの間に、蛍光灯１１１へ電力が供給された時間の累計を計算する。
【００１８】
制御装置１３３の放電灯状態監視部１３７は、蛍光灯１１１の定格寿命を不揮発性メモリ１３４から読み出す。また、放電灯状態監視部１３７は、電流検出装置１３１から出力された電流検出信号１５１（ａ）を入力する。時間積算部１３６により積算された経過時間が、不揮発性メモリ１３４から読み出した定格寿命に達しており、かつ、電流検出装置１３１から入力した電流検出信号１５１（ａ）で示された電流値が略０である場合、放電灯状態監視部１３７は、蛍光灯１１１の寿命がきたこと（寿命がきて消灯していること）を示す放電灯状態信号１５３を出力装置１４０へ出力する。また、放電灯状態監視部１３７は、時間測定部１３５により測定された経過時間に対応する電流値範囲を不揮発性メモリ１３４から読み出す。電流検出装置１３１から入力した電流検出信号１５１（ａ）で示された電流値が、不揮発性メモリ１３４から読み出した電流値範囲内でない場合、放電灯状態監視部１３７は、蛍光灯１１１の寿命がきたか又は蛍光灯１１１が故障したことを示す放電灯状態信号１５３を出力装置１４０へ出力する。また、放電灯状態監視部１３７は、その他の場合（具体例については後述する）にも、蛍光灯１１１の状態を示す放電灯状態信号１５３を出力装置１４０へ出力する。
【００１９】
出力装置１４０は、放電灯状態監視システム１３０から出力される放電灯状態信号１５３で示された情報を表示する。本実施の形態では、出力装置１４０はＬＥＤ１４１を備え、当該情報の内容に応じてＬＥＤ１４１を点灯、消灯、又は、点滅させる。つまり、出力装置１４０は、ＬＥＤ１４１により蛍光灯１１１の状態を表示する。本実施の形態の変形例として、出力装置１４０は、ＬＥＤ１４１に代えて、蛍光灯１１１の状態を文字などで表示するための液晶画面を備えていてもよい。また、別の変形例として、出力装置１４０は、ＬＥＤ１４１に代えて、蛍光灯１１１の状態を音声で通知するためのスピーカを備えていてもよい。
【００２０】
図２は、蛍光灯１１１の電流値ｃと経過時間ｔとの関係を示すグラフである。
【００２１】
ｔ０において、例えば制御装置１３３からの制御で電源スイッチ１２１がＯＮになり、電源１２０からの電源電圧が放電灯点灯装置１１２に印加されると、ｔ１までの間、放電灯点灯装置１１２は蛍光灯１１１の電極を予熱する。ｔ１からｔ２までの間、放電灯点灯装置１１２は始動に必要な電圧を蛍光灯１１１に印加する。ｔ２以降、放電灯点灯装置１１２は蛍光灯１１１を点灯させる。蛍光灯１１１の定格寿命であるｔ４において、放電灯点灯装置１１２は、蛍光灯１１１の過熱を防ぎ、照明器具を保護するため、発振を停止して蛍光灯１１１を消灯させる。ｔ４より前のｔ３において、蛍光灯１１１が故障により消灯することもある。また、放電灯点灯装置１１２が蛍光灯１１１の寿命状態（例えば、フィラメントの劣化状態）を監視し、蛍光灯１１１の寿命がきたと判定した場合には、放電灯点灯装置１１２が発振を停止して蛍光灯１１１を消灯させることもある。
【００２２】
蛍光灯１１１が正常に点灯する場合、蛍光灯１１１の電流値ｃ（本実施の形態では、実際には電流検出装置１３１が測定する電流値）は、図２に示すように変化するものとする。つまり、（Ａ）ｔ０≦ｔ＜ｔ１の予熱時はｃ＝ｃ１（予熱時の正常電流値）となり、（Ｂ）ｔ１≦ｔ＜ｔ２の始動時はｃ＝ｃ２（始動時の正常電流値）となり、（Ｃ）ｔ≧ｔ２の点灯時はｃ＝ｃ３（点灯時の正常電流値）となる。また、（Ｄ）ｔ＝ｔ３の故障時又は寿命、あるいは、ｔ≧ｔ４の寿命ではｃ＝ｃ０（略０）となる。ここで、（Ａ）〜（Ｃ）における経過時間ｔは、正確にいえば、最近（最後に）電源スイッチ１２１がＯＮになって電源１２０からの電源電圧が放電灯点灯装置１１２に印加され始めてからの経過時間である。一方、（Ｄ）における経過時間ｔは、（Ａ）〜（Ｃ）における経過時間ｔの累計、即ち、１つの蛍光灯１１１が照明器具に装着されている間に、電源１２０からの電源電圧が放電灯点灯装置１１２に印加され続けた時間（以下、「累計時間Ｔ」という）である。
【００２３】
図３は、放電灯状態監視システム１３０が備える制御装置１３３の動作の例を示すフローチャートである。
【００２４】
制御装置１３３の不揮発性メモリ１３４には、蛍光灯１１１の定格寿命がｔ４であることが予め記憶されているものとする。また、不揮発性メモリ１３４には、ｔ０≦ｔ＜ｔ１のときの電流値範囲としてｃ１を下限値とすること、ｔ１≦ｔ＜ｔ２のときの電流値範囲としてｃ２を下限値とすること、ｔ≧ｔ２のときの電流値範囲としてｃ３を下限値とすることが予め記憶されているものとする。また、不揮発性メモリ１３４には、電流値ｃが略０であると判定するための基準値としてｃ０が記憶されているものとする。制御装置１３３の放電灯状態監視部１３７は、下記の動作を行う前に、蛍光灯１１１の定格寿命、電流値範囲を示すデータを不揮発性メモリ１３４から読み出すものとする。ここで、ｃ１、ｃ２、ｃ３は、上記のように、予め（手動で）設定されるものでなくともよい。例えば、制御装置１３３がｃ１、ｃ２、ｃ３を自動的に設定し、不揮発性メモリ１３４に記憶してもよい。この場合、制御装置１３３は、例えば電源スイッチ１２１がＯＮになって電源１２０からの電源電圧が放電灯点灯装置１１２に印加される度に（最初の数回のみでよい）、予熱時、始動時、点灯時の電流値ｃの平均値を計算する。そして、制御装置１３３は、それぞれの平均値を予熱時、始動時、点灯時の正常電流値とみなし、ｃ１、ｃ２、ｃ３として設定する。このとき、ｔ１、ｔ２は予め設定されたものが不揮発性メモリ１３４に記憶されているものとする。
【００２５】
電源スイッチ１２１がＯＮになり、電源１２０からの電源電圧が放電灯点灯装置１１２に印加されると（電源投入）、電源監視装置１３２が、それを検出して、電源１２０から放電灯点灯装置１１２へ電力が供給されたことを示す電源検出信号１５２を出力する。電流検出装置１３１は、電源１２０から放電灯点灯装置１１２へ流れる電流の電流値ｃを測定して、電流値ｃを示す電流検出信号１５１を出力する。
【００２６】
制御装置１３３において、時間測定部１３５は、電源監視装置１３２から出力された電源検出信号１５２を入力し、電源１２０から放電灯点灯装置１１２へ電力が供給されたことが電源検出信号１５２で示されている場合には、経過時間ｔの測定を開始する（ステップＳ１０１）。
【００２７】
ステップＳ１０１でｔ＜ｔ１の場合（予熱時）、放電灯状態監視部１３７は、電流検出装置１３１から出力された電流検出信号１５１を入力し、電流検出信号１５１で示されている電流値ｃと経過時間ｔに対応する電流値範囲の下限値として不揮発性メモリ１３４から読み出したｃ１とを比較する（ステップＳ１０２）。ステップＳ１０２でｃ≧ｃ１の場合、電流値ｃは電流値範囲内であるため、ステップＳ１０１に戻る。このとき、放電灯状態監視部１３７は、蛍光灯１１１が予熱中であることを示す放電灯状態信号１５３を出力装置１４０へ出力してもよい。これにより、出力装置１４０では、例えば蛍光灯１１１が予熱中であることを示すＬＥＤ１４１が点灯される。ステップＳ１０２でｃ＜ｃ１の場合、電流値ｃは電流値範囲外であるため、放電灯状態監視部１３７は、蛍光灯１１１が故障したことを示す放電灯状態信号１５３を出力装置１４０へ出力する。これにより、出力装置１４０では、例えば蛍光灯１１１が故障したことを示すＬＥＤ１４１が点灯される。
【００２８】
ステップＳ１０１でｔ１≦ｔ＜ｔ２の場合（始動時）、放電灯状態監視部１３７は、電流検出装置１３１から出力された電流検出信号１５１を入力し、電流検出信号１５１で示されている電流値ｃと経過時間ｔに対応する電流値範囲の下限値として不揮発性メモリ１３４から読み出したｃ２とを比較する（ステップＳ１０３）。ステップＳ１０３でｃ≧ｃ２の場合、電流値ｃは電流値範囲内であるため、ステップＳ１０１に戻る。このとき、放電灯状態監視部１３７は、蛍光灯１１１が始動中であることを示す放電灯状態信号１５３を出力装置１４０へ出力してもよい。これにより、出力装置１４０では、例えば蛍光灯１１１が始動中であることを示すＬＥＤ１４１が点灯される。ステップＳ１０３でｃ＜ｃ２の場合、電流値ｃは電流値範囲外であるため、放電灯状態監視部１３７は、蛍光灯１１１が故障したことを示す放電灯状態信号１５３を出力装置１４０へ出力する。これにより、出力装置１４０では、例えば蛍光灯１１１が故障したことを示すＬＥＤ１４１が点灯される。
【００２９】
ステップＳ１０１でｔ≦ｔ２の場合（点灯時）、時間積算部１３６は、現在点灯中の蛍光灯１１１の装着（使用開始）後に時間測定部１３５により測定された経過時間ｔの累計である累計時間Ｔを計算する。放電灯状態監視部１３７は、時間積算部１３６により計算された累計時間Ｔと蛍光灯１１１の定格寿命として不揮発性メモリ１３４から読み出したｔ４とを比較する（ステップＳ１０４）。ステップＳ１０４でＴ＜ｔ４の場合、放電灯状態監視部１３７は、電流検出装置１３１から出力された電流検出信号１５１を入力し、電流検出信号１５１で示されている電流値ｃと電流値ｃが略０であると判定するための基準値として不揮発性メモリ１３４から読み出したｃ０とを比較する（ステップＳ１０５）。ステップＳ１０５でｃ＞ｃ０の場合、電流値ｃは略０ではないため、ステップＳ１０１に戻る。このとき、放電灯状態監視部１３７は、蛍光灯１１１が点灯中であることを示す放電灯状態信号１５３を出力装置１４０へ出力してもよい。これにより、出力装置１４０では、例えば蛍光灯１１１が点灯中であることを示すＬＥＤ１４１が点灯される。ステップＳ１０５でｃ≦ｃ０の場合、電流値ｃは略０であるため、放電灯状態監視部１３７は、蛍光灯１１１の寿命がきたか又は蛍光灯１１１が故障したことを示す放電灯状態信号１５３を出力装置１４０へ出力する。これにより、出力装置１４０では、例えば蛍光灯１１１の寿命がきたか又は蛍光灯１１１が故障したことを示すＬＥＤ１４１が点灯される。また、ステップＳ１０４でＴ≧ｔ４の場合、放電灯状態監視部１３７は、電流検出装置１３１から出力された電流検出信号１５１を入力し、電流検出信号１５１で示されている電流値ｃと電流値ｃが略０であると判定するための基準値として不揮発性メモリ１３４から読み出したｃ０とを比較する（ステップＳ１０６）。ステップＳ１０６でｃ＞ｃ０の場合、電流値ｃは略０ではないため、ステップＳ１０１に戻る。このとき、放電灯状態監視部１３７は、蛍光灯１１１が点灯中であることを示す（さらに、累計時間Ｔが定格寿命を超えたことを示していてもよい）放電灯状態信号１５３を出力装置１４０へ出力してもよい。これにより、出力装置１４０では、例えば蛍光灯１１１が点灯中であることを示すＬＥＤ１４１（及び、累計時間Ｔが定格寿命を超えたことを示すＬＥＤ１４１）が点灯される。ステップＳ１０６でｃ≦ｃ０の場合、電流値ｃは略０であるため、放電灯状態監視部１３７は、蛍光灯１１１の寿命がきたことを示す放電灯状態信号１５３を出力装置１４０へ出力する。これにより、出力装置１４０では、例えば蛍光灯１１１の寿命がきたことを示すＬＥＤ１４１が点灯される。
【００３０】
放電灯状態監視部１３７は、蛍光灯１１１が故障したことを示す放電灯状態信号１５３を出力装置１４０へ出力する場合、あるいは、蛍光灯１１１の寿命がきたことを示す放電灯状態信号１５３を出力装置１４０へ出力する場合には、電源スイッチ１２１を遠隔操作してＯＦＦにすることにより、電源１２０から放電灯点灯装置１１２への電源電圧の印加を遮断してもよい。
【００３１】
本実施の形態の変形例として、ステップＳ１０５及びＳ１０６で、放電灯状態監視部１３７は、電流検出信号１５１で示されている電流値ｃと経過時間ｔに対応する電流値範囲の下限値として不揮発性メモリ１３４から読み出したｃ３とを比較してもよい。この場合、ｃ≧ｃ３であれば、電流値ｃは電流値範囲内であるため、ステップＳ１０１に戻る。一方、ｃ０＜ｃ＜ｃ２であれば、電流値ｃは電流値範囲外であり、略０でもないため、放電灯状態監視部１３７は、蛍光灯１１１が故障したことを示す放電灯状態信号１５３を出力装置１４０へ出力する。これにより、出力装置１４０では、例えば蛍光灯１１１が故障したことを示すＬＥＤ１４１が点灯される。ｃ≦ｃ０であれば、電流値ｃは略０であるため、放電灯状態監視部１３７は、前述した動作を行う。
【００３２】
以上のように、本実施の形態では、放電灯状態監視システム１３０の制御装置１３３が、照明器具の放電灯点灯装置１１２へ入力される電流の電流値と電源投入からの経過時間とに応じて蛍光灯１１１の状態を判定する。そして、制御装置１３３が蛍光灯１１１の状態（蛍光灯１１１の点灯状態、蛍光灯１１１の寿命がきたこと、蛍光灯１１１が故障したことなど）を示す放電灯状態信号１５３を出力装置１４０へ出力することにより、照明器具の外部で蛍光灯１１１の状態を監視することが可能となる。このため、本実施の形態によれば、照明器具の外部で、照明器具に予熱・始動・点灯・消灯中の蛍光灯１１１が装着されていること、寿命に達した蛍光灯１１１が装着されていること、放電不能又は故障した蛍光灯１１１が装着されていることなどを確認することができる。
【００３３】
実施の形態２．
本実施の形態について、主に実施の形態１との差異を説明する。
【００３４】
実施の形態１では、図１に示したように、照明システム１００が照明装置１１０を１つ備えていたが、照明システム１００は照明装置１１０を複数備えていてもよい。
【００３５】
図４は、本実施の形態に係る照明システム１００の構成図である。
【００３６】
図４において、照明システム１００は、照明装置１１０を２つ備える。そのため、放電灯状態監視システム１３０は、照明装置１１０ごとに、電流検出装置１３１、電源監視装置１３２を備える。
【００３７】
放電灯状態監視システム１３０において、制御装置１３３の不揮発性メモリ１３４は、照明装置１１０ごとに、それぞれの蛍光灯１１１の定格寿命を予め記憶する。また、不揮発性メモリ１３４は、照明装置１１０ごとに、それぞれの照明器具が備える放電灯点灯装置１１２と電源１２０とを接続する配線１０３を流れる電流の電流値の正常な範囲として、電源１２０から放電灯点灯装置１１２への電力の供給が開始してからの経過時間に応じて予め定められた電流値範囲を記憶する。
【００３８】
制御装置１３３の時間測定部１３５は、それぞれの電源監視装置１３２から出力された電源検出信号１５２（Ａ、Ｂ）を入力し、当該電源検出信号１５２（Ａ、Ｂ）で示された電力の供給が開始してからの経過時間を測定する。
【００３９】
制御装置１３３の時間積算部１３６は、照明装置１１０ごとに、蛍光灯１１１の装着後に時間測定部１３５により測定された経過時間を積算する。
【００４０】
制御装置１３３の放電灯状態監視部１３７は、照明装置１１０ごとに、蛍光灯１１１の定格寿命を不揮発性メモリ１３４から読み出す。また、放電灯状態監視部１３７は、それぞれの電流検出装置１３１から出力された電流検出信号１５１（ａ、ｂ）を入力する。それぞれの照明装置１１０について、時間積算部１３６により積算された経過時間が、不揮発性メモリ１３４から読み出した定格寿命に達しており、かつ、電流検出装置１３１から入力した電流検出信号１５１（ａ、ｂ）で示された電流値が略０である場合、放電灯状態監視部１３７は、蛍光灯１１１の寿命がきたことを示す放電灯状態信号１５３を出力装置１４０へ出力する。また、放電灯状態監視部１３７は、照明装置１１０ごとに、時間測定部１３５により測定された経過時間に対応する電流値範囲を不揮発性メモリ１３４から読み出す。それぞれの照明装置１１０について、電流検出装置１３１から入力した電流検出信号１５１（ａ、ｂ）で示された電流値が、不揮発性メモリ１３４から読み出した電流値範囲内でない場合、放電灯状態監視部１３７は、蛍光灯１１１の寿命がきたか又は蛍光灯１１１が故障したことを示す放電灯状態信号１５３を出力装置１４０へ出力する。
【００４１】
出力装置１４０は、放電灯状態監視システム１３０から出力される放電灯状態信号１５３で示された照明装置１１０ごとの情報を表示する。例えば、出力装置１４０は、照明装置１１０ごとに、ＬＥＤ１４１を備え、蛍光灯１１１の状態を表示する場合には、その蛍光灯１１１が装着されている照明装置１１０に対応するＬＥＤ１４１により当該状態を表示する。
【００４２】
実施の形態３．
本実施の形態について、主に実施の形態１との差異を説明する。
【００４３】
実施の形態１では、図１に示したように、放電灯として、低圧放電灯の一種である熱陰極型の蛍光灯１１１を用いていたが、高圧放電灯を用いてもよい。
【００４４】
図５は、本実施の形態に係る照明システム１００の構成図である。
【００４５】
本実施の形態では、放電灯として、高圧放電灯の一種であるＨＩＤランプ１１４（高輝度放電ランプ）を用いるものとする。ＨＩＤランプ１１４と放電灯点灯装置１１２とを接続する配線１０４は、放電灯点灯装置１１２からＨＩＤランプ１１４の両端の電極へ１本ずつ接続されることになる。照明システム１００のその他の構成は、実施の形態１と同様である。
【００４６】
図６は、ＨＩＤランプ１１４の電流値ｃと経過時間ｔとの関係を示すグラフである。
【００４７】
ｔ０において、例えば制御装置１３３からの制御で電源スイッチ１２１がＯＮになり、電源１２０からの電源電圧が放電灯点灯装置１１２に印加されると、ｔ２までの間、放電灯点灯装置１１２は始動に必要な電圧をＨＩＤランプ１１４に印加する。ｔ２以降、放電灯点灯装置１１２はＨＩＤランプ１１４を点灯させる。ＨＩＤランプ１１４の定格寿命であるｔ４において、放電灯点灯装置１１２は、ＨＩＤランプ１１４の過熱を防ぎ、照明器具を保護するため、発振を停止してＨＩＤランプ１１４を消灯させる。ｔ４より前のｔ３において、ＨＩＤランプ１１４が故障により消灯することもある。また、放電灯点灯装置１１２がＨＩＤランプ１１４の寿命状態を監視し、ＨＩＤランプ１１４の寿命がきたと判定した場合には、放電灯点灯装置１１２が発振を停止してＨＩＤランプ１１４を消灯させることもある。
【００４８】
上記のように、本実施の形態では、実施の形態１と異なり、予熱が不要となる。そのため、放電灯状態監視システム１３０が備える制御装置１３３の動作は、例えば、図３に示したものから、ステップＳ１０２の動作を省いたものとなる（ステップＳ１０１でｔ＜ｔ２の場合に、ステップＳ１０３へ進むこととなる）。制御装置１３３のその他の動作は、実施の形態１と同様である。
【００４９】
実施の形態４．
本実施の形態について、主に実施の形態１との差異を説明する。
【００５０】
実施の形態１では、図１に示したように、電流検出装置１３１が放電灯点灯装置１１２と電源１２０とを接続する配線１０３の１本を流れる電流の電流値を測定していたが、電流検出装置１３１は蛍光灯１１１と放電灯点灯装置１１２とを接続する配線１０２を流れる電流の電流値を測定してもよい。
【００５１】
図７は、本実施の形態に係る照明システム１００の構成図である。
【００５２】
図７において、電流検出装置１３１は、例えばＣＴであり、蛍光灯１１１と放電灯点灯装置１１２の始動用コンデンサ１１３とを接続するための配線１０２（第２の配線）の１本に接続され、当該配線１０２の１本を流れる電流の電流値のみを測定する。そして、電流検出装置１３１は、測定した電流値を示す電流検出信号１５１（ａ）を出力する。照明システム１００のその他の構成は、実施の形態１と同様である。
【００５３】
以上のように、本実施の形態では、放電灯状態監視システム１３０の制御装置１３３が、熱陰極型の蛍光灯１１１の予熱電流の電流値と電源投入からの経過時間とに応じて蛍光灯１１１の状態を判定する。このため、制御装置１３３が蛍光灯１１１の状態をより確実に判定することが可能となる。
【００５４】
実施の形態５．
本実施の形態について、主に実施の形態４との差異を説明する。
【００５５】
実施の形態４では、図７に示したように、蛍光灯１１１と放電灯点灯装置１１２の始動用コンデンサ１１３とを接続するための配線１０２（第２の配線）の１本を流れる電流の電流値のみを測定していたが、電流検出装置１３１は蛍光灯１１１と放電灯点灯装置１１２とを接続する配線１０１（第１の配線）と配線１０２（第２の配線）とを流れる電流の差動値を測定してもよい。
【００５６】
図８は、本実施の形態に係る照明システム１００の構成図である。
【００５７】
図８において、電流検出装置１３１は、例えば図９に示すようなＣＴであり、放電灯点灯装置１１２から蛍光灯１１１へ電力を供給するための配線１０１（第１の配線）と、蛍光灯１１１と放電灯点灯装置１１２の始動用コンデンサ１１３とを接続するための配線１０２（第２の配線）との両方（ただし、蛍光灯１１１の同じ端の電極に接続するもの）に接続され、当該配線１０１の１本を流れる電流と当該配線１０２の１本を流れる電流との差動値を測定する。そして、電流検出装置１３１は、電流値として当該差動値を示す電流検出信号１５１（ａ）を出力する。照明システム１００のその他の構成は、実施の形態１と同様である。
【００５８】
以上のように、本実施の形態では、放電灯状態監視システム１３０の制御装置１３３が、熱陰極型の蛍光灯１１１の予熱電流と放電灯点灯装置１１２から蛍光灯１１１へ流れる電流との差動値と、電源投入からの経過時間とに応じて蛍光灯１１１の状態を判定する。このため、制御装置１３３が蛍光灯１１１の状態をより確実に判定することが可能となる。
【００５９】
実施の形態６．
本実施の形態について、主に実施の形態４との差異を説明する。
【００６０】
実施の形態４では、図７に示したように、放電灯として、低圧放電灯の一種である熱陰極型の蛍光灯１１１を用いていたが、高圧放電灯を用いてもよい。
【００６１】
図１０は、本実施の形態に係る照明システム１００の構成図である。
【００６２】
本実施の形態では、実施の形態３と同様に、放電灯として、高圧放電灯の一種であるＨＩＤランプ１１４を用いるものとする。ＨＩＤランプ１１４と放電灯点灯装置１１２とを接続する配線１０４は、放電灯点灯装置１１２からＨＩＤランプ１１４の両端の電極へ１本ずつ接続されることになる。電流検出装置１３１は、例えばＣＴであり、ＨＩＤランプ１１４と放電灯点灯装置１１２とを接続する配線１０４の１本に接続され、当該配線１０４の１本を流れる電流の電流値を測定する。そして、電流検出装置１３１は、測定した電流値を示す電流検出信号１５１（ａ）を出力する。照明システム１００のその他の構成は、実施の形態４と同様である。
【００６３】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００６４】
【図１】実施の形態１に係る照明システムの構成図である。
【図２】実施の形態１に係る放電灯の電流値ｃと経過時間ｔとの関係を示すグラフである。
【図３】実施の形態１に係る制御装置の動作の例を示すフローチャートである。
【図４】実施の形態２に係る照明システムの構成図である。
【図５】実施の形態３に係る照明システムの構成図である。
【図６】実施の形態３に係る放電灯の電流値ｃと経過時間ｔとの関係を示すグラフである。
【図７】実施の形態４に係る照明システムの構成図である。
【図８】実施の形態５に係る照明システムの構成図である。
【図９】実施の形態５に係る電流検出装置の例を示す図である。
【図１０】実施の形態６に係る照明システムの構成図である。
【符号の説明】
【００６５】
１００  照明システム、１０１，１０２，１０３，１０４  配線、１１０  照明装置、１１１  蛍光灯、１１２  放電灯点灯装置、１１３  始動用コンデンサ、１１４  ＨＩＤランプ、１２０  電源、１２１  電源スイッチ、１３０  放電灯状態監視システム、１３１  電流検出装置、１３２  電源監視装置、１３３  制御装置、１３４  不揮発性メモリ、１３５  時間測定部、１３６  時間積算部、１３７  放電灯状態監視部、１４０  出力装置、１４１  ＬＥＤ、１５１  電流検出信号、１５２  電源検出信号、１５３  放電灯状態信号。
【図１】
2009170172.tif 000003
【図２】
2009170172.tif 000004
【図３】
2009170172.tif 000005
【図４】
2009170172.tif 000006
【図５】
2009170172.tif 000007
【図６】
2009170172.tif 000008
【図７】
2009170172.tif 000009
【図８】
2009170172.tif 000010
【図９】
2009170172.tif 000011
【図１０】
2009170172.tif 000012